(57)【要約】【目的】ダミー画像データが表示されてしまうことを未然に防止する。【構成】マルチメディア・ウェブ・ページを表示するためのテンプレートにはダミー画像データが格納されている。そのダミー画像データを，ウェブ・ページに表示すべき画像を表す画像データに置き換えるためのＸＭＬデータにおいて，置き換えの指示が無い場合には（ステップ45でＮＯ），ダミー画像が白色一色の画像に置き換えられる（ステップ48）。ダミー画像の表示を未然に防止できる。【選択図】図８
2010003096.tif 000002
【特許請求の範囲】
【請求項１】
マルチメディア・ウェブ・ページのリクエストを受信するマルチメディア・ウェブ・ページ・リクエスト受信手段，
上記マルチメディア・ウェブ・ページ・リクエスト受信手段によってマルチメディア・ウェブ・ページのリクエストを受信したことに応じて，画像，音声などと組み合わせてウェブ・コンテンツを作成するソフトウエアによって表示が制御される画像が含まれているマルチメディア・ウェブ・ページを表すために用いられるＸＭＬデータ，上記ソフトウエアによって制御されることにより上記マルチメディア・ウェブ・ページが表示され，かつデータ領域にダミー画像データが格納されているテンプレート・ファイル，および上記テンプレート・ファイルのデータ領域に格納されているダミー画像データを上記ＸＭＬデータによって指定される画像を表す画像データに置き換え，かつ置き換える画像データが上記ＸＭＬデータにおいて指定されていないことに応じて，上記テンプレート・ファイルのデータ領域に格納されているダミー画像データを所定の画像データに置き換えるスクリプト・ファイルが格納されているファイル装置から，上記ＸＭＬデータ，上記テンプレート・ファイルおよび上記スクリプト・ファイルを読み出す読み出し手段，
上記読み出し手段によって読み出された上記ＸＭＬデータ，上記テンプレート・ファイルおよび上記スクリプト・ファイルを用いて，上記テンプレート・ファイルのデータ領域に格納されているダミー画像データを上記ＸＭＬデータによって指定される画像データに置き換え，かつ置き換える画像データが上記ＸＭＬデータにおいて指定されていないときには上記テンプレート・ファイルのデータ領域に格納されているダミー画像データを所定の画像データに置き換える画像データ置き換え手段，ならびに
上記画像データ置き換え手段によって置き換えられた画像データがデータ領域に格納されているテンプレート・ファイルを，マルチメディア・ウェブ・ページのリクエストを送信した端末装置に送信するテンプレート・ファイル送信手段，
を備えたマルチメディア・ウェブ・ページ送信装置。
【請求項２】
マルチメディア・ウェブ・ページ・リクエスト受信手段が，マルチメディア・ウェブ・ページのリクエストを受信し，
読み出し手段が，上記マルチメディア・ウェブ・ページ・リクエスト受信手段によってマルチメディア・ウェブ・ページのリクエストを受信したことに応じて，画像，音声などと組み合わせてウェブ・コンテンツを作成するソフトウエアによって表示が制御される画像が含まれているマルチメディア・ウェブ・ページを表すために用いられるＸＭＬデータ，上記ソフトウエアによって制御されることにより上記マルチメディア・ウェブ・ページが表示され，かつデータ領域にダミー画像データが格納されているテンプレート・ファイル，および上記テンプレート・ファイルのデータ領域に格納されているダミー画像データを上記ＸＭＬデータによって指定される画像を表す画像データに置き換え，かつ置き換える画像データが上記ＸＭＬデータにおいて指定されていないことに応じて，上記テンプレート・ファイルのデータ領域に格納されているダミー画像データを所定の画像データに置き換えるスクリプト・ファイルが格納されているファイル装置から，上記ＸＭＬデータ，上記テンプレート・ファイルおよび上記スクリプト・ファイルを読み出し，
画像データ置き換え手段が，上記読み出し手段によって読み出された上記ＸＭＬデータ，上記テンプレート・ファイルおよび上記スクリプト・ファイルを用いて，上記テンプレート・ファイルのデータ領域に格納されているダミー画像データを上記ＸＭＬデータによって指定される画像データに置き換え，かつ置き換える画像データが上記ＸＭＬデータにおいて指定されていないときには上記テンプレート・ファイルのデータ領域に格納されているダミー画像データを所定の画像データに置き換え，
テンプレート・ファイル送信手段が，上記画像データ置き換え手段によって置き換えられた画像データがデータ領域に格納されているテンプレート・ファイルを，マルチメディア・ウェブ・ページのリクエストを送信した端末装置に送信する，
マルチメディア・ウェブ・ページ送信装置の動作制御方法。
【請求項３】
マルチメディア・ウェブ・ページのリクエストを受信させ，
マルチメディア・ウェブ・ページのリクエストを受信したことに応じて，画像，音声などと組み合わせてウェブ・コンテンツを作成するソフトウエアによって表示が制御される画像が含まれているマルチメディア・ウェブ・ページを表すために用いられるＸＭＬデータ，上記ソフトウエアによって制御されることにより上記マルチメディア・ウェブ・ページが表示され，かつデータ領域にダミー画像データが格納されているテンプレート・ファイル，および上記テンプレート・ファイルのデータ領域に格納されているダミー画像データを上記ＸＭＬデータによって指定される画像を表す画像データに置き換え，かつ置き換える画像データが上記ＸＭＬデータにおいて指定されていないことに応じて，上記テンプレート・ファイルのデータ領域に格納されているダミー画像データを所定の画像データに置き換えるスクリプト・ファイルが格納されているファイル装置から，上記ＸＭＬデータ，上記テンプレート・ファイルおよび上記スクリプト・ファイルの読み出を行わせ，
読み出された上記ＸＭＬデータ，上記テンプレート・ファイルおよび上記スクリプト・ファイルを用いて，上記テンプレート・ファイルのデータ領域に格納されているダミー画像データを上記ＸＭＬデータによって指定される画像データに置き換え，かつ置き換える画像データが上記ＸＭＬデータにおいて指定されていないときには上記テンプレート・ファイルのデータ領域に格納されているダミー画像データを所定の画像データに置き換え，
置き換えられた画像データがデータ領域に格納されているテンプレート・ファイルを，マルチメディア・ウェブ・ページのリクエストを送信した端末装置に送信させるようにマチメディア・ウェブ・ページ送信装置の動作を制御するコンピュータ読み取り可能なプログラム。
【発明の詳細な説明】
【技術分野】
【０００１】
この発明は，マルチメディア・ウェブ・ページ送信装置ならびにその動作制御方法およびその動作制御プログラムに関する。
【背景技術】
【０００２】
コンテンツの容量が多くなるのを防ぐために，コンテンツの容量を削減するものがある（特許文献１）。
【特許文献１】特開2005-286560号公報
【０００３】
いわゆるFlashと呼ばれるソフトウエアに代表されるように，画像，音声などと組み合わせてウェブ・コンテンツを作成するソフトウエアによって制御されるコンテンツが含まれるウェブ・ページを表示することができる。このようなウェブ・ページ（マルチメディア・ウェブ・ページと呼ぶことにする）においては，画像やテキストが単に静的に表示されるのではなく，動きのある画像，テキストが表示される。マルチメディア・ウェブ・ページが表示される場合，ウェブ・ページにダミー画像が含まれていることがある。すると，ダミー画像が表示されてしまうことがある。
【発明の開示】
【０００４】
この発明は，ダミー画像の表示を未然に防止することを目的とする。
【０００５】
この発明によるウェブ・ページ・データ送信装置は，マルチメディア・ウェブ・ページのリクエストを受信するマルチメディア・ウェブ・ページ・リクエスト受信手段，上記マルチメディア・ウェブ・ページ・リクエスト受信手段によってマルチメディア・ウェブ・ページのリクエストを受信したことに応じて，画像，音声などと組み合わせてウェブ・コンテンツを作成するソフトウエアによって表示が制御される画像が含まれているマルチメディア・ウェブ・ページを表すために用いられるＸＭＬデータ，上記ソフトウエアによって制御されることにより上記マルチメディア・ウェブ・ページが表示され，かつデータ領域にダミー画像データが格納されているテンプレート・ファイル，および上記テンプレート・ファイルのデータ領域に格納されているダミー画像データを上記ＸＭＬデータによって指定される画像を表す画像データに置き換え，かつ置き換える画像データが上記ＸＭＬデータにおいて指定されていないことに応じて，上記テンプレート・ファイルのデータ領域に格納されているダミー画像データを所定の画像データに置き換えるスクリプト・ファイルが格納されているファイル装置から，上記ＸＭＬデータ，上記テンプレート・ファイルおよび上記スクリプト・ファイルを読み出す読み出し手段，上記読み出し手段によって読み出された上記ＸＭＬデータ，上記テンプレート・ファイルおよび上記スクリプト・ファイルを用いて，上記テンプレート・ファイルのデータ領域に格納されているダミー画像データを上記ＸＭＬデータによって指定される画像データに置き換え，かつ置き換える画像データが上記ＸＭＬデータにおいて指定されていないときには上記テンプレート・ファイルのデータ領域に格納されているダミー画像データを所定の画像データに置き換える画像データ置き換え手段，ならびに上記画像データ置き換え手段によって置き換えられた画像データがデータ領域に格納されているテンプレート・ファイルを，マルチメディア・ウェブ・ページのリクエストを送信した端末装置に送信するテンプレート・ファイル送信手段を備えていることを特徴とする。
【０００６】
この発明は，上記マルチメディア・ウェブ・ページ送信装置の適した動作制御方法も提供している。すなわち，この方法は，マルチメディア・ウェブ・ページ・リクエスト受信手段が，マルチメディア・ウェブ・ページのリクエストを受信し，読み出し手段が，上記マルチメディア・ウェブ・ページ・リクエスト受信手段によってマルチメディア・ウェブ・ページのリクエストを受信したことに応じて，画像，音声などと組み合わせてウェブ・コンテンツを作成するソフトウエアによって表示が制御される画像が含まれているマルチメディア・ウェブ・ページを表すために用いられるＸＭＬデータ，上記ソフトウエアによって制御されることにより上記マルチメディア・ウェブ・ページが表示され，かつデータ領域にダミー画像データが格納されているテンプレート・ファイル，および上記テンプレート・ファイルのデータ領域に格納されているダミー画像データを上記ＸＭＬデータによって指定される画像を表す画像データに置き換え，かつ置き換える画像データが上記ＸＭＬデータにおいて指定されていないことに応じて，上記テンプレート・ファイルのデータ領域に格納されているダミー画像データを所定の画像データに置き換えるスクリプト・ファイルが格納されているファイル装置から，上記ＸＭＬデータ，上記テンプレート・ファイルおよび上記スクリプト・ファイルを読み出し，画像データ置き換え手段が，上記読み出し手段によって読み出された上記ＸＭＬデータ，上記テンプレート・ファイルおよび上記スクリプト・ファイルを用いて，上記テンプレート・ファイルのデータ領域に格納されているダミー画像データを上記ＸＭＬデータによって指定される画像データに置き換え，かつ置き換える画像データが上記ＸＭＬデータにおいて指定されていないときには上記テンプレート・ファイルのデータ領域に格納されているダミー画像データを所定の画像データに置き換え，テンプレート・ファイル送信手段が，上記画像データ置き換え手段によって置き換えられた画像データがデータ領域に格納されているテンプレート・ファイルを，マルチメディア・ウェブ・ページのリクエストを送信した端末装置に送信するものである。
【０００７】
この発明は，上記マルチメディア・ウェブ・ページ送信装置の動作制御方法を実施するための制御プログラムも提供している。
【０００８】
この発明によると，マルチメディア・ウェブ・ページのリクエストがあると，ＸＭＬデータ，テンプレート・ファイルおよびスクリプト・ファイルを用いて，テンプレート・ファイルのデータ領域に格納されているダミー画像データがＸＭＬデータによって指定される画像データに置き換えられ，かつ置き換える画像データがＸＭＬデータにおいて指定されていないときにはテンプレート・ファイルのデータ領域に格納されているダミー画像データが所定の画像データに置き換えられる。置き換えられた画像データがデータ領域に格納されているテンプレート・ファイルが，マルチメディア・ウェブ・ページのリクエストを送信した端末装置に送信される。
【０００９】
テンプレート・ファイルのデータ領域に格納されているダミー画像データがＸＭＬデータによって，置き換えられる画像データが指定されていると，その指定されている画像データに置き換えられる。指定されていない場合であっても所定の画像データに置き換えられる。ダミー画像データは，指定されている画像データまたはダミー画像を除く所定の画像データに置き換えられるので，マルチメディア・ウェブ・ページにダミー画像が表示されてしまうことを未然に防止できる。
【実施例】
【００１０】
図１は，この発明の実施例を示すもので，ウェブ・ページ・データ送信システムの概要を示している。
【００１１】
ウェブ・ページ・データ送信システムには，インターネットを用いて互いに通信可能な端末装置１とウェブ・サーバ10とが含まれている。ウェブ・サーバ10は，ファイル・サーバ11と通信可能である。ウェブ・サーバ10とファイル・サーバ11との通信もインターネットを用いて行われるようにしてもよい。
【００１２】
端末装置１は，たとえば，携帯電話であるが，携帯電話に限らず，パーソナル・コンピュータ，ＰＤＡ（Personal Digital Assistants）などであってもよい。
【００１３】
ウェブ・サーバ10，ファイル・サーバ11には，それぞれＣＰＵ，メモリ，ハードディスク・ドライブ，ハードディスク，通信装置，キーボード，マウス，表示装置などが含まれている。ファイル・サーバ11には，後述のように，端末装置１からのリクエストに応じて，ウェブ・サーバ10にウェブ・ページを表示するためのデータを生成するために必要なＸＭＬ（Extensible Markup Language）データ，スクリプト・ファイル，テンプレート・ファイルなどが格納されている。
【００１４】
この実施例においては，端末装置１からウェブ・サーバ10に画像，音声などと組み合わせてウェブ・コンテンツを作成するソフトウエア（たとえば，いわゆるflashと呼ばれるソフトウエア）によって表されるコンテンツが含まれているマルチメディア・ウェブ・ページが，リクエストされる。端末装置１からのリクエストに応じて，ファイル・サーバ11に格納されているデータ，ファイルが読み出される。読み出されたデータ，ファイルを用いて，ウェブ・サーバ10において，端末装置１に送信するマルチメディア・ウェブ・データ（テンプレート・ファイル）が生成される。
【００１５】
詳しくは後述するように，ファイル・サーバ11に格納されているテンプレート・ファイルにはダミー画像データが格納されている。このダミー画像データがＸＭＬデータにより指定される画像データに置き換えられるが，ＸＭＬデータにより置き換えられる画像データが指定されていない場合には，この実施例では，あらかじめ定められているダミー画像を除く所定の画像データに置き換えられる。ダミー画像データが格納されているテンプレート・ファイルが端末装置１に送信されてしまうと，マルチメディア・ウェブ・ページにダミー画像が表示されてしまうが，この実施例ではダミー画像はＸＭＬデータによって指定される画像データまたはあらかじめ定められている画像データに置き換えられるので，ダミー画像が表示されてしまうことを未然に防止できる。
【００１６】
図２は，端末装置１によってリクエストされるマルチメディア・ウェブ・ページの一例である。
【００１７】
ウェブ・ページ20は，商品を紹介するものであり，２種類の商品が紹介されている。ウェブ・ページ20の上部が第１の商品を紹介する部分であり，ウェブ・ページの下部が第２の商品を紹介する部分である。
【００１８】
ウェブ・ページ20の左上には，第１の商品画像表示領域21が形成されている。第１の商品画像表示領域21は，第１の商品の画像が表示される。第１の商品画像表示領域21の右側には，第１の名称表示領域22および第１の料金表示領域23が表示されている。第１の名称表示領域22には，第１の商品の名称が表示される。第１の料金表示領域23には，第１の商品の料金が表示される。第１の商品画像表示領域21および第１の料金表示領域23の下には，第１のコメント表示領域24が表示されている。第１のコメント表示領域24には，第１の商品についてのコメントが表示される。
【００１９】
ウェブ・ページ20の中央部分の左側には，第２の商品画像表示領域31が表示されている。第２の商品画像表示領域31の右側には第２の名称表示領域32および第２の料金表示領域33が表示されている。第２の商品画像表示領域31および第２の料金表示領域33の下には，第２のコメント表示領域34が表示されている。これらの領域31，32，33および34に，それぞれ第２の商品画像，第２の商品の名称，第２の商品の料金および第２の商品のコメントが表示される。
【００２０】
第１の商品画像表示領域21，第１のコメント表示領域24，第２の商品画像表示領域31および第２のコメント表示領域34に，画像，音声などと組み合わせてウェブ・コンテンツを作成するソフトウエアによって表されるコンテンツが表示されるものである場合には，たとえば，それらの領域21，24，31および34に表示されるコンテンツ（商品画像，コメント）は，そのソフトウエアにしたがって表示画面上において動くように表示される。
【００２１】
図３から図５は，ファイル・サーバ11にあらかじめ生成されて格納されているデータ，ファイル等を示すものである。これらのデータ，ファイル等を用いてマルチメディア・ウェブ・ページを表すデータが生成される。これらのデータ等において記述箇所の指定がわかりやすくなるように行数を付している。
【００２２】
図３は，ＸＭＬデータの一例である。
【００２３】
第１行は，ＸＭＬデータであることなどを示している。第２行から第17行は，ウェブ・ページ20に表示される商品の内容を示している。第２行から第８行は第１の商品の内容を示し，第10行から第15行は第２の商品の内容を示している。第10行から第15行をはさむように第９行および第16行には，コメントアウト・タグが記述されている。第９行および第16行に記述されているコメントアウト・タグにより，第10行から第15行に記述されている第２の商品の内容が無効化され，記述が無いものとして扱われる。第４行は第１の商品名を示し，第５行は第１の商品の料金を示し，第６行は第１の商品画像のファイル名を示し，第７行は第１の商品のコメントを示している。同様に，第11行は第２の商品名を示し，第12行は第２の商品の料金を示し，第13行は第２の商品画像のファイル名を示し，第14行は第２の商品のコメントを示している。
【００２４】
図４は，テンプレートのデータ構造（ファイル構造）を示している。
【００２５】
このテンプレートは，ＸＭＬデータから，画像，音声などと組み合わせてウェブ・コンテンツを作成するソフトウエアによって表されるコンテンツが含まれているウェブ・ページを生成するためのものである。
【００２６】
テンプレートの先頭にはヘッダ領域40が形成されており，終端には終端マーカ領域70が形成されている。ヘッダ領域40と終端マーカ領域70との間に多数のセグメントＳ１〜Ｓｎが形成されている。各セグメントＳ１〜Ｓｎには，サイズ領域41，51，61，6α，名称領域42，52，62，6βおよびデータ領域43，53，63，6γが含まれている。サイズ領域41，51，61，6αには，セグメントのサイズ（データ量）を示すデータが格納される。名称領域42，52，62，6βには，セグメントを特定する名称が格納される。データ領域43，53，63，6γには，画像データ，音データ，テキスト・データなどのダミー・データが格納されている。
【００２７】
たとえば，セグメントＳ１のデータ領域43にはダミーのテキスト・データが格納されており，このダミー・テキスト・データを特定するために名称領域42には，name1という名称を表すデータが格納されている。同様に，セグメントS2のデータ領域53には，ダミー画像データが格納されており，このダミー画像データを特定するために名称領域52にはimage1という名称を表すデータが格納されている。その他のセグメントも同様である。
【００２８】
図５は，スクリプト・ファイルの一例である。
【００２９】
スクリプト・ファイルは，図３に示すＸＭＬデータを図４に示すテンプレートの各セグメントに当てはめるものである。
【００３０】
第１行から第５行，第７行から第11行は，それぞれＸＭＬデータの該当箇所を指定するためのものであり，'//ProductList/Product/Name/'というようにXpointerと呼ばれる手法で記述されている。Xpointerの次の引数１または２は，ＸＭＬデータに含まれる商品の数（二つ）に対応するもので，引数１が第１の商品に，引数２が第２の商品にそれぞれ対応する。
【００３１】
第１行は，図３に示す第１の商品の名称を表すデータを，テンプレートのうち，名称name1をもつセグメントS1のデータ領域43に，ダミー・テキスト・データに置き換えて格納する指示をするものである。第２行は，図３に示す第１の商品の料金を表すデータを，テンプレートのうち，名称Price1をもつセグメントのデータ領域に，ダミー・テキスト・データに置き換えて格納する指示をするものである。第３行は，図３に示す第１の商品のコメントを表すデータを，テンプレートのうち，名称comment1をもつセグメントのデータ領域に，ダミー・テキスト・データに置き換えて格納する指示をするものである。第４行から第６行は，図３に示すＸＭＬデータに，第１の商品の画像を表すデータを特定するデータが記述されていれば，名称image1をもつセグメントS1のデータ領域に，ダミー画像データに置き換えて格納し，かつ図３に示すＸＭＬデータに，第１の商品の画像を表すデータを特定するデータが記述されていなければ，名称image1をもつセグメントＳ１のデータ領域に，0xFFFFFFで示される白色一色の画像を表すデータを置き換えて格納する指示をするものである。
【００３２】
第７行から第12行は，第１行から第６行と同様に，第２の商品についての商品画像，名称，料金，コメントを表すデータを，それぞれ，テンプレートの対応するデータ領域に格納する指示をするものである。
【００３３】
図５の第４行から第６行，第９行から第12行に示すように，この実施例では，テンプレート・ファイルに格納されているダミー画像データを置き換える指示がＸＭＬデータに記述が無い（コメントアウトにより）場合には，あらかじめ定められている白色一色の画像データにダミー画像データが置き換えられる。ウェブ・ページにダミー画像が表示されずに，白色一色（黒色などの他の単色でもよい）の画像が表示されるようになる。
【００３４】
図６は，ウェブ・ページ20の一例である。このウェブ・ページ20には，図２に示す符号と同一の符号が付されている。第２の商品画像表示領域31には，ダミー画像が表示されている。また，第２の名称表示領域32，第２の料金表示領域33および第２のコメント表示領域34にもそれぞれダミー・テキストが表示されている。
【００３５】
図３のＸＭＬデータにおいて，上述のように，第10行から第15行はコメントアウトとされており，記述が無効化されている。このために，第２の商品についての画像，名称，料金，コメントについてのデータは存在しないものとして扱われる。この実施例においては，図５の第10行から第12行に示すように，画像データの置き換えの指示が無い場合に，あらかじめ定められた白色一色の画像が表示されるようにスクリプトが規定されていないときには，図６に示すように，第２の商品画像表示領域31にダミー画像が表示される。また，第２の名称表示領域32，第２の料金表示領域33および第２のコメント表示領域34にもダミー・テキストが表示される。
【００３６】
図７は，ウェブ・ページ20の一例である。このウェブ・ページ20にも，図２に示す符号と同一の符号が付されている。第２の商品画像表示領域31には，白色一色の画像が表示されている。第２の名称表示領域32，第２の料金表示領域33および第２のコメント表示領域34にはそれぞれダミー・テキストが表示されている。
【００３７】
上述したように，図５の第９行から第12行は，第２の商品画像の置き換え指示がＸＭＬデータに存在しない場合には，白色一色の画像を表示するように指示する記述がある。この記述にしたがって，第２の商品画像表示領域31には，白色一色の画像が表示される。ダミー画像が表示されてしまうことが未然に防止される。
【００３８】
図８は，ウェブ・サーバ10の処理手順を示すフローチャートである。
【００３９】
端末装置１からウェブ・サーバ10に，マルチメディア・ウェブ・ページのリクエストが行われる。たとえば，http://server/product.swfのＵＲＬ（Uniform Resource Locator）をもつウェブ・ページがリクエストされる。端末装置１から送信されたリクエスト・データがウェブ・サーバ10において受信されると（ステップ80），リクエストされたマルチメディア・ウェブ・ページを表示するためのＸＭＬデータ（ＣＳＶ：Comma Separated Valuesデータでもよい）（図３参照）がファイル・サーバ11から読み取られる（ステップ81）。また，テンプレート・ファイル（図４参照），スクリプト・ファイル（図５参照）が，ファイル・サーバ11から読み取られる（ステップ82，83）。つづいて，スクリプト・ファイルによって表されるスクリプトのコマンドの数だけステップ85から88までの処理が繰り返される（ステップ85，89）。
【００４０】
読み取られたスクリプト・ファイルによって表されるスクリプトの記述にもとづいて行なわれる，テンプレート・ファイルのダミー画像データ等が画像データ等に置き換えられる指示が，ＸＭＬデータにあれば（ステップ85でＹＥＳ），その置き換えが行われる（ステップ86）。その指示がなければ（ステップ85でＮＯ），スクリプト・ファイルに，ダミー画像データ等を白色一色の画像を表す画像データ等に置き換える指示があるかどうかが判定される（ステップ85）。ダミー画像データを，白色一色の画像を表す画像データに置き換える指示がＸＭＬデータにあれば（ステップ87でＹＥＳ），ダミー画像データが，その白色一色の画像を表す画像データに置き換えられる（ステップ88）。ダミー画像データを，白色一色の画像を表す画像データに置き換える指示がＸＭＬデータになければ（ステップ47でＮＯ），ステップ88の処理はスキップされる。
【００４１】
このようにして，ダミー画像データがＸＭＬデータによって指示された画像データまたは白色一色の画像データに置き換えられたテンプレート・ファイルが生成される。生成されたテンプレート・ファイルがマルチメディア・ウェブ・ページを表すデータとして，ウェブ・サーバ10から端末装置１に送信される（ステップ90）。テンプレート・ファイルが端末装置１にインストールされているソフトウエアによって表示制御されると，図７に示すようなウェブ・ページが表示されることが理解されよう。
【図面の簡単な説明】
【００４２】
【図１】ウェブ・ページ・データ送信システムの概要を示している。
【図２】マルチメディア・データによって表されるウェブ・ページの一例である。
【図３】ＸＭＬデータの一例である。
【図４】テンプレートの一例である。
【図５】スクリプトの一例である。
【図６】マルチメディア・データによって表されるウェブ・ページの一例である。
【図７】マルチメディア・データによって表されるウェブ・ページの一例である。
【図８】ウェブ・サーバの処理手順を示すフローチャートである。
【符号の説明】
【００４３】
１  端末装置
10  ウェブ・サーバ（ウェブ・ページ・データ送信装置）
11  ファイル・サーバ（ファイル装置）
【図１】
2010003096.tif 000003
【図２】
2010003096.tif 000004
【図３】
2010003096.tif 000005
【図４】
2010003096.tif 000006
【図５】
2010003096.tif 000007
【図６】
2010003096.tif 000008
【図７】
2010003096.tif 000009
【図８】
2010003096.tif 000010